(57)【特許請求の範囲】
【請求項１】
遮断器本体、前記遮断器本体を収容して移動するクレードル、及び前記クレードルに連結されて前記遮断器本体の位置を表示する位置表示装置を含む引出形遮断器において、
前記位置表示装置は、
ケースと、
前記ケースの一側に備えられて前記遮断器本体の移動に従って回転するレバーと、
前記ケースの内部に備えられて前記レバーの回転に従って移動し、少なくとも１つのガイドスロットが備えられるスライド板と、
前記ガイドスロットに移動可能に挿入されるクリップとを含み、
前記ガイドスロットにおいて、前記遮断器本体の引き出し位置、テスト位置及び引き込み位置に対応する位置には、係止部が嵌められる固定孔が形成され、
前記クリップの下部には、前記ガイドスロットに挿入されて前記クリップの移動を案内する移動案内部が形成され、
前記移動案内部の両側には、前記固定孔に嵌められる係止部が形成される、引出形遮断器。
【請求項２】
前記移動案内部の下面に締結孔が形成され、
前記クリップが前記ガイドスロットに挿入された状態で前記締結孔に締結部材を貫通させることにより、前記クリップが前記スライド板に固定される、請求項１に記載の引出形遮断器。
【請求項３】
前記ガイドスロットの前端には、前記移動案内部の一端が収容される収容孔が形成され、前記ガイドスロットの後端には、前記移動案内部の他端が収容される収容孔が形成される、請求項１又は２に記載の引出形遮断器。
【発明の詳細な説明】
【技術分野】
【０００１】
本発明は、引出形遮断器に関し、より詳細には、位置表示装置の状態調整を容易に行えるようにして遠方から遮断器の位置をエラーなく確認できるようにした引出形遮断器に関する。
【背景技術】
【０００２】
一般に、遮断器は、大きく固定形遮断器と引出形遮断器に分けられる。固定形遮断器とは、遮断器本体のみを備え、配電盤パネル内に位置が固定されているものをいい、引出形遮断器とは、遮断器のメンテナンスを容易にするためにクレードルというケースを備え、遮断器本体の引き込み及び引き出しが可能になっているものをいう。なお、引出形遮断器の位置は、遮断器本体のクレードルへの引き込みの程度によって大きく３つの位置に分けられる。
【０００３】
すなわち、引出形遮断器の位置は、主回路及び制御回路がどちらも分離されている引き出し位置（DISCONNECTED POSITION）、主回路は分離、制御回路は接続されているテスト位置（TEST POSITION）、遮断器の主回路及び制御回路がどちらも接続されている引き込み位置（CONNECTED POSITION）に分けられる。
【０００４】
また、引出形遮断器は、安全上の理由で、遮断器が引き出し位置、テスト位置及び引き込み位置のうちいずれの位置にあるかを表示する位置表示装置を必要とする。
【０００５】
さらに、作業者が位置表示装置のマイクロスイッチをクレードルから遠く離れた遠方に接続した場合、作業者は遠方からマイクロスイッチの出力値により遮断器の引き出し位置、テスト位置及び引き込み位置などを確認することができる。
【０００６】
一方、図１２は従来のクレードルに備えられる位置表示装置を示す斜視図であり、図１３は従来の位置表示装置に備えられるスライド板を示す斜視図であり、図１４は従来の位置表示装置の内部構成を示す斜視図である。
【０００７】
図１２〜図１４に示すように、従来の引出形遮断器の位置表示装置１０は、ケース１１、ケース１１の一側に備えられてドローギア（図示せず）の回転に従って回転するレバー１３、レバー１３が取り付けられてレバー１３の回転中心点を提供するガイドプレート１５、レバー１３の回転に連動して水平方向に移動可能に取り付けられたスライド板１９、スライド板１９に接して遮断器の位置を表示するスイッチ１７などを含む。
【０００８】
スライド板１９には、複数の開口１９ａと、複数の開口１９ａのうち一部の開口を閉塞するクリップ２１とが備えられる。また、スイッチ１７の下部には、複数のローラ２３が上下移動可能に備えられる。
【０００９】
よって、遮断器本体がクレードル上で移動する過程で前記ドローギアが回転すると、レバー１３が回転し、それに連動してスライド板１９が水平方向に移動するが、スライド板１９がスイッチ１７に対して相対移動することにより、スライド板１９の開口１９ａ又はクリップ２１のいずれか一部がスイッチ１７の下部に備えられたローラ２３に当接することになる。
【００１０】
このとき、ローラ２３が開口１９ａの上方に位置するとローラ２３が開口１９ａに挿入されて下方に移動し、ローラ２３がクリップ２１の上方に位置するとローラ２３が上方に移動する。
【００１１】
このような方式でローラ２３が上下に移動してスイッチ１７の特定部分を加圧することにより、スイッチ１７が動作して前記遮断器本体の位置を外部に表示させる。
【発明の概要】
【発明が解決しようとする課題】
【００１２】
しかし、このように動作する従来の引出形遮断器の位置表示装置１０においては、引き出し位置、テスト位置及び引き込み位置を決定するクリップ２１がスライド板１９に固定されているので、位置変更が煩雑であり、固定された状態でも離脱しやすいという問題があった。
【００１３】
また、位置変更のためにクリップ２１を分離した場合、使用者がクリップ２１を紛失する恐れが大きいという問題があった。
【００１４】
本発明は、このような問題を解決するためになされたものであり、位置表示装置の状態調整を容易に行えるようにして遠方から遮断器の位置をエラーなく確認できるようにした引出形遮断器を提供することを目的とする。
【課題を解決するための手段】
【００１５】
本発明の上記目的は、遮断器本体、前記遮断器本体を収容して移動するクレードル、及び前記クレードルに連結されて前記遮断器本体の位置を表示する位置表示装置を含む引出形遮断器において、前記位置表示装置は、ケースと、前記ケースの一側に備えられて前記遮断器本体の移動に従って回転するレバーと、前記ケースの内部に備えられて前記レバーの回転に従って移動し、少なくとも１つのガイドスロットが備えられるスライド板と、前記ガイドスロットに移動可能に挿入されるクリップとを含む、引出形遮断器を提供することにより達成することができる。
【００１６】
また、前記クリップの下部には、前記クリップが前記ガイドスロットに嵌められて固定されるようにする固定部が形成されてもよい。
【００１７】
さらに、前記固定部は、フック形状を有するようにしてもよい。
【００１８】
さらに、前記ガイドスロットにおいて、前記遮断器本体の引き出し位置、テスト位置及び引き込み位置に対応する位置には、前記固定部が嵌められて固定される固定孔が形成されてもよい。
【００１９】
さらに、前記ガイドスロットにおいて、前記遮断器本体の引き出し位置、テスト位置及び引き込み位置に対応する位置には、係止部が嵌められる固定孔が形成され、前記クリップの下部には、前記ガイドスロットに挿入されて前記クリップの移動を案内する移動案内部が形成され、前記移動案内部の両側には、前記固定孔に嵌められる係止部が形成されてもよい。
【００２０】
さらに、前記移動案内部の下面に締結孔が形成され、前記クリップが前記ガイドスロットに挿入された状態で前記締結孔に締結部材を貫通させることにより、前記クリップが前記スライド板に固定されるようにしてもよい。
【００２１】
さらに、前記ガイドスロットの前端には、前記移動案内部の一端が収容される収容孔が形成され、前記ガイドスロットの後端には、前記移動案内部の他端が収容される収容孔が形成されてもよい。
【発明の効果】
【００２２】
本発明による引出形遮断器においては、ケース、レバー、スライド板及びクリップを含むように位置表示装置を構成し、スライド板に少なくとも１つのガイドスロットを形成し、クリップがガイドスロットに挿入された状態で引き出し位置、テスト位置又は引き込み位置に対応する位置にクリップを移動させることにより、クリップの位置調整が容易になるという効果がある。
【００２３】
また、クリップがガイドスロットに挿入された状態でクリップを移動させることにより、位置調整のためにクリップを分離する必要がなくなり、位置調整を行う際にクリップを紛失する恐れがなくなるという効果がある。
【００２４】
さらに、クリップの下部にフック形状の固定部を形成することにより、クリップが引き出し位置、テスト位置又は引き込み位置に対応する位置に強固に固定されて分離されなくなるという効果がある。
【００２５】
さらに、クリップの下部にクリップの移動を案内する移動案内部及びガイドスロットの固定孔に嵌められる係止部を形成し、クリップがガイドスロット内を移動するとクリップの係止部がガイドスロットの固定孔に嵌められるようにすることにより、クリップが離脱することなく引き出し位置、テスト位置又は引き込み位置に対応する位置に固定されることになるという効果がある。
【図面の簡単な説明】
【００２６】
【図１】本発明による位置表示装置が引出形遮断器に連結された状態を示す斜視図である。
【図２】本発明による位置表示装置にスライド板及びクリップが備えられた状態を示す斜視図である。
【図３】本発明による位置表示装置を示す斜視図である。
【図４】本発明による位置表示装置のスライド板を示す斜視図である。
【図５】本発明による位置表示装置のスライド板に備えられたガイドスロットを示す斜視図である。
【図６】本発明による位置表示装置のクリップを示す斜視図である。
【図７】本発明による位置表示装置におけるスライド板にクリップが挿入された状態を上方から見た斜視図である。
【図８】本発明による位置表示装置におけるスライド板にクリップが挿入された状態を下方から見た斜視図である。
【図９】本発明による位置表示装置のスライド板に備えられたガイドスロットの変形例を示す平面図である。
【図１０】本発明による位置表示装置のクリップの変形例を示す斜視図である。
【図１１】本発明による位置表示装置におけるスライド板に変形例のクリップが締結部材により固定されることを示す分解斜視図である。
【図１２】従来のクレードルに備えられる位置表示装置を示す斜視図である。
【図１３】従来の位置表示装置に備えられるスライド板を示す斜視図である。
【図１４】従来の位置表示装置の内部構成を示す斜視図である。
【発明を実施するための形態】
【００２７】
以下、添付図面を参照して本発明の一実施形態による引出形遮断器について詳細に説明する。
【００２８】
図１は本発明による位置表示装置が引出形遮断器に連結された状態を示す斜視図であり、図２は本発明による位置表示装置にスライド板及びクリップが備えられた状態を示す斜視図であり、図３は本発明による位置表示装置を示す斜視図であり、図４は本発明による位置表示装置のスライド板を示す斜視図であり、図５は本発明による位置表示装置のスライド板に備えられたガイドスロットを示す斜視図であり、図６は本発明による位置表示装置のクリップを示す斜視図である。
【００２９】
また、図７は本発明による位置表示装置におけるスライド板にクリップが挿入された状態を上方から見た斜視図であり、図８は本発明による位置表示装置におけるスライド板にクリップが挿入された状態を下方から見た斜視図であり、図９は本発明による位置表示装置のスライド板に備えられたガイドスロットの変形例を示す平面図であり、図１０は本発明による位置表示装置のクリップの変形例を示す斜視図であり、図１１は本発明による位置表示装置におけるスライド板に変形例のクリップが締結部材により固定されることを示す分解斜視図である。
【００３０】
図１〜図３に示すように、本発明による引出形遮断器は、遮断器本体（図示せず）と、前記遮断器本体を収容して移動するクレードル３００と、クレードル３００に連結されて前記遮断器本体の位置を表示する位置表示装置１００とを含む。
【００３１】
位置表示装置１００は、クレードル３００の側壁３１０に備えられ、前記遮断器本体がクレードル３００に収容されて引き出し位置、テスト位置又は引き込み位置に移動するとそれに応じて前記遮断器本体の位置を外部に表示するように調整される。
【００３２】
位置表示装置１００は、ケース１０１、ケース１０１に連結されて前記遮断器本体の移動に連動して回転するレバー１０３、レバー１０３の回転に従って水平方向に移動するスライド板１３０、スライド板１３０に移動可能に挿入されるクリップ１１０などからなる。
【００３３】
スライド板１３０は、前記遮断器本体が引き出し位置、テスト位置又は引き込み位置に移動するとそれに連動して移動する。前記遮断器本体がクレードル３００に収容されて移動すると、クレードル３００に備えられたドローギア（図示せず）が回転し、前記ドローギアに備えられた調整ピン３２０がクレードル３００の側壁３１０に備えられた側壁孔３１１を移動しながらレバー１０３を加圧して回転させるが、スライド板１３０は、レバー１０３の回転に従って水平方向に移動して位置表示スイッチ（図示せず）を調整することにより、前記遮断器本体の位置を外部に表示する。
【００３４】
より具体的には、スライド板１３０には複数のクリップ１１０が挿入されるが、スライド板１３０の移動によりクリップ１１０がスライド板１３０の上方に位置するローラ（図示せず）を押圧し、前記ローラが前記位置表示スイッチを移動させることにより、前記遮断器本体の位置が外部に表示される。
【００３５】
一方、図４及び図５に示すように、スライド板１３０には、クリップ１１０が移動可能に挿入される少なくとも１つのガイドスロット１３１が備えられる。
【００３６】
ガイドスロット１３１は、スライド板１３０の長手方向に形成され、クリップ１１０が挿入された状態で引き出し位置に対応する位置Ｄ、テスト位置に対応する位置Ｔ又は引き込み位置に対応する位置Ｃに移動するようにガイドする。
【００３７】
従来は、クリップ２１を移動させるためにはクリップ２１をスライド板１９から分離しなければならなかったが（図１３参照）、本発明においては、クリップ１１０がガイドスロット１３１に挿入された状態でクリップ１１０をスライド板１３０の長手方向に押すだけで所望の位置に移動させることができるので、クリップ１１０の位置調整が容易である。
【００３８】
一方、図６に示すように、クリップ１１０の下部には、クリップ１１０がガイドスロット１３１に嵌められて固定されるようにする固定部１１１が形成され、固定部１１１はフック形状からなる。
【００３９】
よって、クリップ１１０をガイドスロット１３１に挿入すると、固定部１１１がガイドスロット１３１に嵌められてガイドスロット１３１の両側面に密着することにより、クリップ１１０がガイドスロット１３１に固定装着される。
【００４０】
ここで、固定部１１１がフック形状からなり、固定部１１１の下端部がスライド板１３０の下面に係止されることにより、クリップ１１０がスライド板１３０に挿入された状態から分離されて離脱することが防止される。
【００４１】
固定部１１１は、フック形状に限定されるものではなく、スライド板１３０からの離脱を防止できればいかなる形状でもよい。
【００４２】
例えば、固定部１１１の下面にスライド板１３０と水平に板状の係止板（図示せず）を形成し、前記係止板がスライド板１３０の下面に係止されるようにすることにより、フック形状よりも簡単な構造でクリップ１１０の離脱を効果的に防止することができる。
【００４３】
また、図５に示すように、ガイドスロット１３１において、前記遮断器本体の引き出し位置、テスト位置及び引き込み位置に対応する位置Ｄ、Ｔ、Ｃには、固定部１１１が嵌められて前記遮断器本体の位置を外部に表示させるように複数の固定孔１３１ａが形成される。
【００４４】
すなわち、引き出し位置の表示のための固定孔１３１ａはガイドスロット１３１の前端の引き出し位置に対応する位置Ｄに形成され、テスト位置の表示のための固定孔１３１ａはガイドスロット１３１の中心部のテスト位置に対応する位置Ｔに形成され、引き込み位置の表示のための固定孔１３１ａはガイドスロット１３１の後端の引き込み位置に対応する位置Ｃに形成される。
【００４５】
図７及び図８を参照すると、クリップ１１０がガイドスロット１３１を移動してガイドスロット１３１の中心部のテスト位置に対応する位置Ｔに形成された固定孔１３１ａに固定された場合、前記遮断器本体がテスト位置に移動すると、クリップ１１０がスライド板１３０の移動により移動して前記ローラを押圧することにより、前記位置表示スイッチがテスト位置を表示するようにする。
【００４６】
また、クリップ１１０がガイドスロット１３１を移動してガイドスロット１３１の前端の引き出し位置に対応する位置Ｄに形成された固定孔１３１ａに固定された場合、前記遮断器本体が引き出し位置に移動すると、クリップ１１０がスライド板１３０の移動により移動して前記ローラを押圧することにより、前記位置表示スイッチが引き出し位置を表示するようにし、クリップ１１０がガイドスロット１３１を移動してガイドスロット１３１の後端の引き込み位置に対応する位置Ｃに形成された固定孔１３１ａに固定された場合、前記遮断器本体が引き込み位置に移動すると、クリップ１１０がスライド板１３０の移動により移動して前記ローラを押圧することにより、前記位置表示スイッチが引き込み位置を表示するようにする。
【００４７】
一方、クリップ１１０の変形例として、図９〜図１１に示すように、クリップ２１０の下部には、ガイドスロット２３１に挿入されてクリップ２１０の移動を案内する移動案内部２１１が形成され、移動案内部２１１の両側には、前記遮断器本体の引き出し位置、テスト位置又は引き込み位置の表示のためにガイドスロット２３１の固定孔２３１ａに嵌められる係止部２１３が形成されるようにしてもよい。
【００４８】
ここで、ガイドスロット２３１の固定孔２３１ａは、前記遮断器本体の引き出し位置、テスト位置及び引き込み位置に対応する位置に形成される。
【００４９】
よって、クリップ２１０をスライド板１３０の引き出し位置に対応する位置Ｄ、テスト位置に対応する位置Ｔ又は引き込み位置に対応する位置Ｃに挿入すると、クリップ２１０の係止部２１３がガイドスロット２３１の固定孔２３１ａに嵌められてクリップ２１０の移動が制限され、前記遮断器本体の位置を外部に表示できるようになる。
【００５０】
クリップ２１０を他の位置に移動させる場合は、クリップ２１０を上方にある程度引っ張ることにより、係止部２１３が固定孔２３１ａから分離されて移動案内部２１１が下部の所定部分のみガイドスロット２３１に挿入された状態にして、クリップ２１０を移動させ、クリップ２１０がガイドスロット２３１内を移動して係止部２１３がスライド板１３０の引き出し位置、テスト位置及び引き込み位置に対応する位置のうち所望の位置になるとクリップ２１０を下方に押し込む。すると、係止部２１３が固定孔２３１ａに嵌められてクリップ２１０の移動が制限されることにより、クリップ２１０がスライド板１３０の引き出し位置、テスト位置及び引き込み位置に対応する位置のうち所望の位置に固定される。
【００５１】
一方、移動案内部２１１の下面には、締結孔２１１ａが形成されてもよい。締結孔２１１ａにボルトなどの締結部材１５０を貫通させることにより、クリップ２１０がスライド板１３０に固定装着される。
【００５２】
すなわち、クリップ２１０がガイドスロット２３１に挿入された状態で締結孔２１１ａにボルトなどの締結部材１５０を貫通させることにより、クリップ２１０がスライド板１３０に当接した状態で締結部材１５０により密着固定される。
【００５３】
また、ガイドスロット２３１の前端には、移動案内部２１１の一端が収容される収容孔２３１ｂが形成され、ガイドスロット２３１の後端には、移動案内部２１１の他端が収容される収容孔２３１ｂが形成されてもよい。
【００５４】
収容孔２３１ｂは、クリップ２１０がスライド板１３０の引き出し位置又は引き込み位置に対応する位置に移動して固定されると、係止部２１３よりも前後方向に突出して配置された移動案内部２１１の一端又は他端が収容されることによりクリップ２１０がスライド板１３０の引き出し位置又は引き込み位置に対応する位置に挿入されて固定されるようにする。
【００５５】
前述したように構成されて動作する本発明による引出形遮断器においては、引出形遮断器に備えられた位置表示装置１００のスライド板１３０に少なくとも１つのガイドスロット１３１、２３１を形成し、複数のクリップ１１０、２１０がガイドスロット１３１、２３１に挿入された状態でガイドスロット１３１、２３１の引き出し位置、テスト位置又は引き込み位置に対応する位置にクリップ１１０、２１０を移動させることにより、クリップ１１０、２１０の位置調整が容易になる。
【００５６】
また、クリップ１１０、２１０がガイドスロット１３１、２３１に挿入された状態でクリップ１１０、２１０を移動させることにより、位置調整のためにクリップ１１０、２１０を分離する必要がなくなり、位置調整を行う際にクリップ１１０、２１０を紛失する恐れがなくなる。
【００５７】
さらに、クリップ１１０の下部にフック形状の固定部１１１を形成することにより、クリップ１１０がガイドスロット１３１の引き出し位置、テスト位置又は引き込み位置に対応する位置に強固に固定されて分離されなくなる。
【００５８】
さらに、クリップ２１０の下部にクリップ２１０の移動を案内する移動案内部２１１及びガイドスロット２３１の固定孔２３１ａに嵌められる係止部２１３を形成し、クリップ２１０がガイドスロット２３１内を移動するとクリップ２１０の係止部２１３がガイドスロット２３１の固定孔２３１ａに嵌められてクリップ２１０の移動が制限されるようにすることにより、クリップ２１０が離脱することなくガイドスロット２３１の引き出し位置、テスト位置又は引き込み位置に対応する位置に固定されることになる。
【００５９】
以上、本発明の好ましい一実施形態について説明したが、本発明は、様々な変化、変更及び均等物を用いることができ、上記実施形態を適切に変形して同様に応用できることは明らかである。よって、上記記載内容は特許請求の範囲により定義される本発明の範囲を限定するものではない。
【符号の説明】
【００６０】
１００    位置表示装置
１０１    ケース
１０３    レバー
１１０    クリップ
１１１    固定部
１３０    スライド板
１３１    ガイドスロット
１３１ａ    固定孔
１５０    締結部材
２１０    クリップ
２１１    移動案内部
２１１ａ    締結孔
２１３    係止部
２３１    ガイドスロット
２３１ａ    固定孔
２３１ｂ    収容孔
３００    クレードル
【図１】
0006334649.tif 000002
【図２】
0006334649.tif 000003
【図３】
0006334649.tif 000004
【図４】
0006334649.tif 000005
【図５】
0006334649.tif 000006
【図６】
0006334649.tif 000007
【図７】
0006334649.tif 000008
【図８】
0006334649.tif 000009
【図９】
0006334649.tif 000010
【図１０】
0006334649.tif 000011
【図１１】
0006334649.tif 000012
【図１２】
0006334649.tif 000013
【図１３】
0006334649.tif 000014
【図１４】
0006334649.tif 000015